(57)【要約】【課題】より手軽にコストを費やすことなく密閉型誘導灯の点検作業が行えるようにする。【解決手段】点検スイッチ３を器具本体１内部に有し、器具本体１の前面にパネル４を取り付けて密閉構造とした密閉型誘導灯において、パネル４の外側から点検スイッチ３の入り切り操作を可能とした。また、点検スイッチ３は、マグネットスイッチ、近接スイッチ、赤外線スイッチ、レーザ光反応スイッチ等の非接触スイッチであり、この非接触スイッチが反応する点検用部品を備えた。これにより、点検時にパネル４を外さなくても簡単に点検作業を行うことができる。このため、従来例に比べ点検に要する時間とコストを大幅に低減できる。【選択図】　　　　図１
2004087156.tif 000002
【特許請求の範囲】
【請求項１】
点検スイッチを器具本体内部に有し、前記器具本体の前面にパネルを取り付けて密閉構造とした密閉型誘導灯において、前記パネルの外側から前記点検スイッチの入り切り操作を可能としたことを特徴とする密閉型誘導灯。
【請求項２】
点検スイッチは非接触スイッチであり、この非接触スイッチが反応する点検用部品を備えた請求項１記載の密閉型誘導灯。
【請求項３】
点検スイッチは磁石に対して反応するマグネットスイッチである請求項１または２記載の密閉型誘導灯。
【請求項４】
点検スイッチは近接スイッチであり、点検用部品として前記近接スイッチに反応する部材を用いる請求項１または２記載の密閉型誘導灯。
【請求項５】
点検スイッチは赤外線スイッチであり、点検用部品に赤外線放射リモコンを用いる請求項１または２記載の密閉型誘導灯。
【請求項６】
点検スイッチはレーザ光反応スイッチであり、点検用部品にレーザポインタを用いる請求項１または２記載の密閉型誘導灯。
【請求項７】
点検時に点検スイッチをオフにした際、所定時間経過後に前記点検スイッチが自動的にオン状態になるようにした請求項５または６記載の密閉型誘導灯。
【発明の詳細な説明】
【０００１】
【発明の属する技術分野】
この発明は、密閉型誘導灯に関するものである。
【０００２】
【従来の技術】
従来、密閉構造が必要とされる誘導灯において、図９に示すように、点検スイッチ５１は照明器具５０内部に納められている。そのため、点検時には照明器具５０の前面に取り付けたパネル枠５２を工具等を用いて一旦外し、点検スイッチ５１を一定時間引っ張る代わりに重しを点検スイッチ５１に括り付けていた。
【０００３】
点検作業が終わると、再度工具を使用してパネル枠５２を取り付ける必要があった。このため、密閉構造の誘導灯の点検には、かなりの時間と労力を要求されていた。
【０００４】
【発明が解決しようとする課題】
上記のように従来例の密閉型誘導灯においては、点検スイッチが照明器具の外部に出ていないため、点検時にはパネル枠を外す必要があった。このため、点検作業に手間がかかり、コストがかかるという問題がある。
【０００５】
したがって、この発明の目的は、上記の問題点を解消し、より手軽にコストを費やすことなく点検作業が行える密閉型誘導灯を提供することである。
【０００６】
【課題を解決するための手段】
上記課題を解決するためにこの発明の請求項１記載の密閉型誘導灯は、点検スイッチを器具本体内部に有し、前記器具本体の前面にパネルが配置されるようにパネルを取り付けて密閉構造とした密閉型誘導灯において、前記パネルの外側から前記点検スイッチの入り切り操作を可能とした。
【０００７】
このように、パネルの外側から点検スイッチの入り切り操作を可能としたので、点検時にパネルを外さなくても簡単に点検作業を行うことができる。このため、従来例に比べ点検に要する時間とコストを大幅に低減できる。
【０００８】
請求項２記載の密閉型誘導灯は、請求項１記載の密閉型誘導灯において、点検スイッチは非接触スイッチであり、この非接触スイッチが反応する点検用部品を備えた。このように、点検スイッチは非接触スイッチであり、この非接触スイッチが反応する点検用部品を備えたので、点検時には点検用部品によりパネルの外側から器具本体内部の非接触スイッチの入り切りができる。
【０００９】
請求項３記載の密閉型誘導灯は、請求項１または２記載の密閉型誘導灯において、点検スイッチは磁石に対して反応するマグネットスイッチである。このように、点検スイッチは磁石に対して反応するマグネットスイッチであるので、点検時には点検用部品として磁石によりパネルの外側から器具本体内部のマグネットスイッチの入り切りを行うことができる。また、磁石は点検作業中だけパネルに付けておくことで、保持する必要がなくなる。
【００１０】
請求項４記載の密閉型誘導灯は、請求項１または２記載の密閉型誘導灯において、点検スイッチは近接スイッチであり、点検用部品として前記近接スイッチに反応する部材を用いる。このように、点検スイッチは近接スイッチであり、点検用部品として近接スイッチに反応する部材を用いるので、点検時には点検用部品をパネルの外側から器具本体内部の近接スイッチに近付けることでスイッチの入り切りを行うことができる。また、点検用部品は点検作業中だけパネルに付けておくことで、保持する必要がなくなる。
【００１１】
請求項５記載の密閉型誘導灯は、請求項１または２記載の密閉型誘導灯において、点検スイッチは赤外線スイッチであり、点検用部品に赤外線放射リモコンを用いる。このように、点検スイッチは赤外線スイッチであり、点検用部品に赤外線放射リモコンを用いるので、点検時には赤外線放射リモコンによりパネルの外側から器具本体内部の赤外線スイッチの入り切りを行うことができる。また、人が容易に触れることのない場所に取り付けてある誘導灯に対して脚立などを使って誘導灯の近くに行く必要がなくなる。
【００１２】
請求項６記載の密閉型誘導灯は、請求項１または２記載の密閉型誘導灯において、点検スイッチはレーザ光反応スイッチであり、点検用部品にレーザポインタを用いる。このように、点検スイッチはレーザ光反応スイッチであり、点検用部品にレーザポインタを用いるので、点検時にはレーザポインタによりパネルの外側から器具本体内部のレーザ光反応スイッチの入り切りを行うことができる。この際、レーザの直進性を利用することにより誤作動を防止できる。また、人が容易に触れることのない場所に取り付けてある誘導灯に対して脚立などを使って誘導灯の近くに行く必要がなくなる。
【００１３】
請求項７記載の密閉型誘導灯は、請求項５または６記載の密閉型誘導灯において、点検時に点検スイッチをオフにした際、所定時間経過後に前記点検スイッチが自動的にオン状態になるようにした。このように、点検時に点検スイッチをオフにした際、所定時間経過後に点検スイッチが自動的にオン状態になるようにしたので、請求項５または６では誘導灯に点検用部品を付ける必要がなく、点検スイッチがオフになったことを忘れる場合があるが、このことを防止することができる。
【００１４】
【発明の実施の形態】
この発明の第１の実施の形態を図１ないし図４に基づいて説明する。図１（ａ）はこの発明の第１の実施の形態の密閉型誘導灯の正面図、（ｂ）は側面図、図２（ａ）はこの発明の第１の実施の形態の密閉型誘導灯の別の例の正面図、（ｂ）は側面図である。
【００１５】
密閉型誘導灯の基本構造は、大きく３タイプに分かれる。一つ目は天井、壁の直付タイプである。二つ目は天井、壁の埋込タイプである。三つ目は床埋込タイプである。直付タイプは、図１に示す通り誘導灯自体が取り付け面から露出している。埋込タイプは、図２に示す通り取り付け面からパネル付き枠のみ露出しており、密閉構造は取り付け面とパネル付き枠の間でとられることが多い。
【００１６】
また、人が容易に触れる可能性がある場所かどうかに関しては大きく２タイプに分かれる。すなわち、人が容易に触れる可能性のない場所として天井面と壁面（高所）があり、人が触れる可能性のある場所として床面と壁面（低所）がある。例えば、前者の場合、天井、壁の直付タイプおよび天井、壁の埋込タイプが用いられる。後者の場合、壁の直付タイプ、壁の埋込タイプおよび床埋込タイプが用いられる。
【００１７】
直付タイプの密閉型誘電灯は、図１に示すように、点検スイッチ３を器具本体１内部に有し、器具本体１の前面にパネル付き枠２を取り付けて密閉構造とした構成において、パネル４の外側から点検スイッチ３の入り切り操作を可能とした。点検スイッチ３は、非接触スイッチであり、この非接触スイッチが反応する点検用部品（図示せず）を備えている。この密閉型器具の場合、パネル付き枠２と器具本体１とは密閉を確保するためビス等の固着具９で固定される。また、器具本体１は天井または壁１０に取り付けられる。
【００１８】
埋込タイプの密閉型誘電灯は、図２に示すように、点検スイッチ３を器具本体１内部に有し、器具本体１の前面にパネル付き枠１２を取り付けて密閉構造とした構成において、直付タイプと同様にパネル４の外側から点検スイッチ３の入り切り操作を可能とした。この密閉型器具の場合、パネル付き枠１２と取り付け面１３とが密閉を確保するためのビス等の固着具９で固定される。
【００１９】
すなわち、図２（ｂ）およびそのＡ部を拡大した図３に示すように、器具本体１が天井または壁１０に設けた開口部１０ａに埋め込まれている。器具本体１は天井または壁１０の取り付け面１３側へ折曲したフランジ１ａを有し、このフランジ１ａを覆った状態でパネル付き枠１２を取り付け面１３に当接させる。この際、取り付け面１３とフランジ１ａとの間、フランジ１ａとパネル付き枠１２との間にパッキン１４を介在させてこれらの部材を固着具９で一体に固定する。なお、誘導灯を天井または壁に埋め込む構成としたが、床に埋め込む構成にしてもよい。
【００２０】
また、直付および埋込の両タイプとも器具本体１の部材としては、金属またはプラスチックが用いられ、パネル４はプラスチックまたはガラスが採用される。誘導灯の内部部品は、図４に示すように、ランプ５、ソケット６、安定器、蓄電池７、ブロック８、点検スイッチ３で基本構造が構成されており、通電されなくなるかまたは点検スイッチ３を作動させることによって蓄電池７からブロック８を介してランプ５を蓄電池７の容量の範囲で点灯させる。なお、図４は埋込タイプを示しているが、直付タイプも同様である。
【００２１】
誘導灯の点検に関しては、法律で定期点検が義務付けられており、必ず行わなければならない作業である。この際、点検スイッチ３が反応するための点検用部品を用いる。この点検用部品から磁気、赤外線、レーザ光等による信号がパネル４を通して点検スイッチ３に作用する。これにより外部よりパネル付き枠２，１２を外すことなく点検スイッチ３の入り切りができる。
【００２２】
以上のようにこの実施の形態によれば、点検時にパネル４を外さなくても簡単に点検作業を行うことができる。このため、従来例に比べ点検に要する時間とコストを大幅に低減できる。なお、パネル付き枠２，１２がなく、パネル４と器具本体１または取り付け面１３とが密閉した構成にしてもよい。
【００２３】
この発明の第２の実施の形態を図５に基づいて説明する。図５はこの発明の第２の実施の形態の密閉型誘導灯を破断した斜視図である。
【００２４】
図５に示すように、この密閉型誘導灯の点検スイッチは、磁石に対して反応するマグネットスイッチ１６である。すなわち、マグネットスイッチ１６を器具本体１内部に有し、器具本体１の前面にパネル付き枠１２を取り付けて密閉構造とし、パネル４の外側からマグネットスイッチ１６の入り切り操作を可能とした。この場合、吸盤１８に磁石１７を取り付けた吸盤付きマグネット（点検用部品）１９を用意する。
【００２５】
なお、第１の実施の形態と同一部材には同一符号を付して説明を省略する。また、図５は埋込タイプを示しているが、直付タイプも同様である。
【００２６】
誘導灯の点検の際、吸盤付きマグネット１９によりパネル４の外側から器具本体１内部のマグネットスイッチ１６の入り切りを行うことができる。また、吸盤付きマグネット１９を使用することにより、点検作業中だけパネル４に付けておくことで、保持する必要がなくなる。その他の構成効果は、第１の実施の形態と同様である。
【００２７】
この発明の第３の実施の形態を図６に基づいて説明する。図６はこの発明の第３の実施の形態の密閉型誘導灯を破断した斜視図である。
【００２８】
図６に示すように、この密閉型誘導灯の点検スイッチは近接スイッチ２１であり、点検用部品２４として近接スイッチ２１に反応する部材を用いる。すなわち、近接スイッチ２１を器具本体１内部に有し、器具本体１の前面にパネル付き枠１２を取り付けて密閉構造とし、パネル４の外側から近接スイッチ２１の入り切り操作を可能とした。この場合、点検用部品２４には、吸盤２２に金属やプラスチック２３を取り付けたものを用意する。
【００２９】
なお、第１の実施の形態と同一部材には同一符号を付して説明を省略する。また、図６は埋込タイプを示しているが、直付タイプも同様である。但し、この誘導灯は壁や天井などの人が通常触ることのない場所に設置されたものに限定する。
【００３０】
誘導灯の点検の際、点検用部品２４をパネル４の外側から器具本体１内部の近接スイッチ２１に近付けることでスイッチの入り切りを行うことができる。また、点検用部品２４は吸盤２２を使用することにより、点検作業中だけパネル４に付けておくことで、保持する必要がなくなる。また、第２の実施の形態のように磁石を用いる必要もなくなる。その他の構成効果は、第１の実施の形態と同様である。
【００３１】
この発明の第４の実施の形態を図７に基づいて説明する。図７はこの発明の第４の実施の形態の密閉型誘導灯を破断した斜視図である。
【００３２】
図７に示すように、この密閉型誘導灯の点検スイッチは赤外線スイッチ２６であり、点検用部品に赤外線放射リモコン２７を用いる。すなわち、赤外線スイッチ２６を器具本体１内部に有し、器具本体１の前面にパネル付き枠１２を取り付けて密閉構造とし、パネル４の外側から赤外線スイッチ２６の入り切り操作を可能とした。
【００３３】
なお、第１の実施の形態と同一部材には同一符号を付して説明を省略する。また、図７は埋込タイプを示しているが、直付タイプも同様である。
【００３４】
誘導灯の点検の際、赤外線放射リモコン２７によりパネル４の外側から器具本体１内部の赤外線スイッチ２６の入り切りを行うことができる。また、人が容易に触れることのない場所に取り付けてある誘導灯に対して脚立などを使って誘導灯の近くに行く必要がなくなる。その他の構成効果は、第１の実施の形態と同様である。
【００３５】
この発明の第５の実施の形態を図８に基づいて説明する。図８はこの発明の第５の実施の形態の密閉型誘導灯を破断した斜視図である。
【００３６】
図８に示すように、この密閉型誘導灯の点検スイッチはレーザ光反応スイッチ２９であり、点検用部品にレーザポインタ３０を用いる。すなわち、レーザ光反応スイッチ２９を器具本体１内部に有し、器具本体１の前面にパネル付き枠１２を取り付けて密閉構造とし、パネル４の外側からレーザ光反応スイッチ２９の入り切り操作を可能とした。
【００３７】
なお、第１の実施の形態と同一部材には同一符号を付して説明を省略する。また、図８は埋込タイプを示しているが、直付タイプも同様である。
【００３８】
誘導灯の点検の際、レーザポインタ３０によりパネル４の外側から器具本体１内部のレーザ光反応スイッチ２９の入り切りを行うことができる。また、レーザの直進性を利用することにより誤作動を防止できる。また、人が容易に触れることのない場所に取り付けてある誘導灯に対して脚立などを使って誘導灯の近くに行く必要がなくなる。その他の構成効果は、第１の実施の形態と同様である。
【００３９】
この発明の第６の実施の形態について説明する。第４または第５の実施の形態のように、リモコン（赤外線放射リモコン２７、レーザポインタ３０）にて点検スイッチ（赤外線スイッチ２６、レーザ光反応スイッチ２９）を入り切りする場合、点検時に点検スイッチをオフにした際に法定時間が経過した時、点検スイッチが自動的にオン状態となるように回路を組む。
【００４０】
これにより、第４または第５の実施の形態では、誘導灯に点検用部品を付ける必要がないので、点検スイッチがオフになったことを忘れる場合があるが、このことを防止することができる。
【００４１】
【発明の効果】
この発明の請求項１記載の密閉型誘導灯によれば、パネルの外側から点検スイッチの入り切り操作を可能としたので、点検時にパネルを外さなくても簡単に点検作業を行うことができる。このため、従来例に比べ点検に要する時間とコストを大幅に低減できる。
【００４２】
請求項２では、点検スイッチは非接触スイッチであり、この非接触スイッチが反応する点検用部品を備えたので、点検時には点検用部品によりパネルの外側から器具本体内部の非接触スイッチの入り切りができる。
【００４３】
請求項３では、点検スイッチは磁石に対して反応するマグネットスイッチであるので、点検時には点検用部品として磁石によりパネルの外側から器具本体内部のマグネットスイッチの入り切りを行うことができる。また、磁石は点検作業中だけパネルに付けておくことで、保持する必要がなくなる。
【００４４】
請求項４では、点検スイッチは近接スイッチであり、点検用部品として近接スイッチに反応する部材を用いるので、点検時には点検用部品をパネルの外側から器具本体内部の近接スイッチに近付けることでスイッチの入り切りを行うことができる。また、点検用部品は点検作業中だけパネルに付けておくことで、保持する必要がなくなる。
【００４５】
請求項５では、点検スイッチは赤外線スイッチであり、点検用部品に赤外線放射リモコンを用いるので、点検時には赤外線放射リモコンによりパネルの外側から器具本体内部の赤外線スイッチの入り切りを行うことができる。また、人が容易に触れることのない場所に取り付けてある誘導灯に対して脚立などを使って誘導灯の近くに行く必要がなくなる。
【００４６】
請求項６では、点検スイッチはレーザ光反応スイッチであり、点検用部品にレーザポインタを用いるので、点検時にはレーザポインタによりパネルの外側から器具本体内部のレーザ光反応スイッチの入り切りを行うことができる。この際、レーザの直進性を利用することにより誤作動を防止できる。また、人が容易に触れることのない場所に取り付けてある誘導灯に対して脚立などを使って誘導灯の近くに行く必要がなくなる。
【００４７】
請求項７では、点検時に点検スイッチをオフにした際、所定時間経過後に点検スイッチが自動的にオン状態になるようにしたので、請求項５または６では誘導灯に点検用部品を付ける必要がなく、点検スイッチがオフになったことを忘れる場合があるが、このことを防止することができる。
【図面の簡単な説明】
【図１】（ａ）はこの発明の第１の実施の形態の直付タイプの密閉型誘導灯の正面図、（ｂ）は側面図である。
【図２】（ａ）はこの発明の第１の実施の形態の埋込タイプの密閉型誘導灯の正面図、（ｂ）は側面図である。
【図３】図２（ｂ）のＡ部拡大図である。
【図４】この発明の第１の実施の形態の密閉型誘導灯を破断した斜視図である。
【図５】この発明の第２の実施の形態の密閉型誘導灯を破断した斜視図である。
【図６】この発明の第３の実施の形態の密閉型誘導灯を破断した斜視図である。
【図７】この発明の第４の実施の形態の密閉型誘導灯を破断した斜視図である。
【図８】この発明の第５の実施の形態の密閉型誘導灯を破断した斜視図である。
【符号の説明】
１　器具本体
２，１２　パネル付き枠
３　点検スイッチ
４　パネル
１０　天井または壁
１６　マグネットスイッチ
１９　吸盤付きマグネット
２１　近接スイッチ
２４　点検用部品
２６　赤外線スイッチ
２７　赤外線放射リモコン
２９　レーザ光反応スイッチ
３０　レーザポインタ
【図１】
2004087156.tif 000003
【図２】
2004087156.tif 000004
【図３】
2004087156.tif 000005
【図４】
2004087156.tif 000006
【図５】
2004087156.tif 000007
【図６】
2004087156.tif 000008
【図７】
2004087156.tif 000009
【図８】
2004087156.tif 000010